(57)【要約】【課題】アルミパウチ、その他の内容器の口部基台を改善し、内容液の残量を少なくしたレフィル容器を提供すること。【解決手段】外装容器と、該外装容器に取替え自在に嵌挿入される内容器からなるレフィル容器であって、内容器が、開孔を設けた口部基台と、液収納袋とからなり、口部基台は、基板と基板に垂設された液収納袋の支持体とを具えており、支持体は、液収納袋の接着部と、接着部下端より突出したほぼ錐台状の突出部とを具えていることを特徴とする。【選択図】　　　　図１
2004051197.tif 000002
【特許請求の範囲】
【請求項１】
外装容器と、該外装容器に取替え自在に嵌挿入される内容器からなるレフィル容器であって、
内容器が、開孔を設けた口部基台と、液収納袋とからなり、
口部基台は、基板と基板に垂設された液収納袋の支持体とを具えており、
支持体は、液収納袋の接着部と、接着部下端より突出したほぼ錐台状の突出部とを具えていることを特徴とするレフィル容器。
【請求項２】
突出部が、接着部下端よりわずかに突出した錐台であることを特徴とする請求項１記載のレフィル容器。
【請求項３】
突出部が、接着部下端から延び、表面に液通路を刻設した液誘導部を具えていることを特徴とする請求項１記載のレフィル容器。
【請求項４】
口部基台に、ポンプ取付筒が立設され、液排出用ポンプを取り付けたことを特徴とする請求項１〜３記載のレフィル容器。
【請求項５】
開孔の内周に、ポンプのシリンダー周面に係合し、内容器内部を密封する膨出環を設けたことを特徴とする請求項４記載のレフィル容器。
【請求項６】
開孔内に、ポンプの下端に垂設された吸込みパイプの周面に係合し、内容器内部を密封する膨出環を設けたパイプ嵌挿筒を配設したことを特徴とする請求項４記載のレフィル容器。
【請求項７】
注出孔を設けた注出口部と、注出口部に接着された液収納袋とからなる袋状容器であって、
注出口部は、液収納袋の接着部と、接着部下端より突出したほぼ錐台状の突出部とを具えた支持体を備えていることを特徴とする袋状容器。
【発明の詳細な説明】
【０００１】
【発明の属する技術分野】
本発明は、外装容器と、外装容器に取替え自在として収納される内容器とからなるレフィル容器に関する。
【０００２】
【発明が解決しようとする課題】
外装容器にアルミパウチを内容器として取替え自在に収納したレフィル容器において、該アルミパウチの口部にポンプを装着した液注出容器は、従来より一般に使用されており、内容液の注出にあたっては、ポンプに取着した吐出ヘッドを操作して内容器内の内容液を吸上げて、吐出ノズルより吐出するようにしている。
【０００３】
しかしながら、内容液の注出時には、アルミパウチ内が負圧になり、アルミパウチは、両側のフィルムの内面が接合するよう吸引され、潰されていく。
アルミパウチの潰れが上方に達し、吸込みパイプの下端にフィルムの吸引接合部が位置するようになると、吸込みパイプの吸込みが行われなくなり、その上方の内容液は、注出されないでパウチ内に残るという問題があった。
【０００４】
また、ポンプ外周とアルミパウチ口部の挿入孔との間が完全にシールされていないと、吸引時に外気が導入され、注出効率が落ちるという問題が起こり、さらに、内容液が少なくなると、外気を吸い込んで吐出し、内容液を吐出しなくなり、多量の内容液が残るという問題があった。
【０００５】
本発明は、上記の問題点を解決することを課題とし、アルミパウチ、その他の内容器の口部基台を改善し、内容液の残量を少なくしたレフィル容器を提供することを目的とする。
【０００６】
【課題を解決するための手段】
本発明は、上記の課題を解決するため、レフィル容器として、外装容器と、該外装容器に取替え自在に嵌挿入される内容器からなるレフィル容器であって、内容器が、開孔を設けた口部基台と、液収納袋とからなり、口部基台は、基板と基板に垂設された液収納袋の支持体とを具えており、支持体は、液収納袋の接着部と、接着部下端より突出したほぼ錐台状の突出部とを具えていることを特徴とする構成を採用する。
【０００７】
突出部の実施態様として、突出部が、接着部下端よりわずかに突出した錐台であることを特徴とする構成、または、突出部が、接着部下端から延び、表面に液通路を刻設した液誘導部を具えていることを特徴とする構成を採用する。
【０００８】
後部基台の実施態様として、口部基台に、ポンプ取付筒が立設され、液排出用ポンプを取り付けたことを特徴とする構成を採用する。
【０００９】
開孔に係わる実施例として、開孔の内周に、ポンプのシリンダー周面に係合し、内容器内部を密封する膨出環を設けたことを特徴とする構成、または、開孔内に、ポンプの下端に垂設された吸込みパイプの周面に係合し、内容器内部を密封する膨出環を設けたパイプ嵌挿筒を配設したことを特徴とする構成を採用する。
【００１０】
袋状容器として、注出孔を設けた注出口部と、注出口部に接着された液収納袋とからなる袋状容器であって、注出口部は、液収納袋の接着部と、接着部下端より突出したほぼ錐台状の突出部とを具えた支持体を備えていることを特徴とする構成を採用する。
【００１１】
【発明の実施の形態】
次に、本発明レフィル容器の第１実施形態について、図面を参照して説明する。
図１において、Ａは外装容器、Ｂは外装容器Ａに着脱自在に収納された変形可能な内容器、Ｃは内容器Ｂ口部の挿入孔内に嵌挿されるポンプＤを装着した取付キャップ、ＥはポンプＤのピストン部材上端に取着された吐出ヘッド、Ｆはオーバーキャップである。
【００１２】
図２に示すように、外装容器Ａは、上端を開放端とした横断面ほぼ楕円形の胴周壁１と、複数の通気孔２を穿孔した底壁３とからなる容器本体Ａ１と蓋体Ａ２、および内容器Ｂを蓋体Ａ２に取着するキャップＡ３とからなっている。
胴周壁１の上端には、縮径された嵌合筒４が形成されており、嵌合筒４の外周中間部には、膨出部５が設けられている。
【００１３】
蓋体Ａ２は、胴周壁１と横断面同形の頂壁６と側周壁７とを具えており、頂壁６には、内周を内容器Ｂの口部基台を嵌挿する嵌挿孔８とした支持筒９が立設されている。
支持筒９の内周には、複数の縦溝１０が刻設されており、縦溝１０の上端の片側には縦溝１０と少なくとも同巾の位置決め段部１１が設けられている。
支持筒９の外周には、ねじ１２が螺設されている。
側周壁７は、嵌合筒４の外周に嵌合され、その内周には、膨出部５に係合する係合部１３が設けられている。
【００１４】
キャップＡ３は、側周壁１４と上壁１５、上壁１５に立設された係合筒１６とを具えており、側周壁１４の内周には、蓋体Ａ２の支持筒９のねじ１２に螺合するねじ１７が螺設されており、内容器Ｂを外装容器Ａの蓋体Ａ２に取着するようにしている。
【００１５】
図３，４に示すように、内容器Ｂは、口部基台２０と、口部基台２０の下部に取着された内容液の液収納袋２１とからなっている。
口部基台２０は、基板２２と、基板２２の上面に立設されたポンプＤの取付筒２３、基板２２の下面から垂設された液収納袋２１の支持体２４とからなっており、口部基台２０の中央には、取付筒２３、液収納袋２１の支持体２４を貫通する開孔、すなわちポンプＤの挿入孔２５が穿孔されている。
【００１６】
基板２２の周縁には、蓋体Ａ２の支持筒９内周の縦溝１０に係合する突出片２６が設けられており、突出片２６は、縦溝１０を通じて上方に引き上げられた後に支持筒９の位置決め段部１１に載置され、基板２２の位置決めがされるようになっている。
取付筒２３の上部には、ねじ２７が螺設されており、下部は拡径部２８となっている。
【００１７】
支持体２４は、その横断面外形はほぼ菱形状であり、その各表面には、横方向に延びる凹溝２９が刻設されており、下部表面は、接着面部３０となっている。支持体２４の下端部は、接着面部３０の下端から傾斜する各テーパー面３１によって、所定の高さを有する角錐台３２が形成されている。
【００１８】
角錐台３２の下面には、挿入孔２５の開口径を狭くする環状板３３が連設され、その内周縁に沿って吸込みパイプの嵌挿筒３４が立設されている。
吸込みパイプの嵌挿筒３４の上部には、膨出環３５が設けられている。
【００１９】
前記支持体２４の別実施例として、支持体の横断面外形を長軸端部を突出させた楕円形として、下端部を角錐台３２に変え接着面部３０の下端から延びる楕円錐台としてもよく、また、支持体の横断面外形を円形とし、下端部を円錐台としてもよい。
【００２０】
液収納袋２１は、二枚のフィルム３６ａ，３６ｂを重ね合わせ、その両側縁３７ａ，３７ｂと下端周縁３７ｃを接着した袋状にされたもので、それぞれのフィルム３６ａ，３６ｂの上端は、支持体２４の接着面部３０に接着され、同時に残りの上端部分３８ａ，３８ｂは、接着面部３０の高さに対応する巾をもって相互に接着されている。
接着は、接着剤による接着、加熱溶着、融着等適宜の方法が用いられ、接着巾は自由に選択できる。
【００２１】
フィルムとしては、単層、または合成樹脂フィルムと積層したアルミフィルム、或いは、単層、または積層の合成樹脂フィルムを用いることができる。
【００２２】
図１に示すように、取付キャップＣは、側周壁４０と上壁４１を具えており、側周壁４０の内周には、口部基台２０の取付筒２３のねじ２７に螺合するねじ４２が螺設され、上壁４１には、ポンプＤを取付け案内する部材が配設され、周辺には、案内筒４３が立設されている。
【００２３】
ポンプＤは、シリンダーＤ１とピストン部材とを具えており、シリンダーＤ１の周面には、口部基台２０のポンプＤの挿入孔２５との間を密封する膨出環４４が設けられており、シリンダーＤ１の下端には、吸込みパイプ４５が垂設されている。
ポンプＤのピストン部材のステムの上端には、吐出ノズル４６を具えた吐出ヘッドＥが装着されている。
【００２４】
ポンプＤを装着した取付キャップＣは、パッキンｐを介して内容器Ｂの口部基台２０の取付筒２３に嵌着され、ポンプＤの吸込みパイプ４５は、吸込みパイプの嵌挿筒３４内に嵌挿される。
その際、吸込みパイプの嵌挿筒３４の膨出環３５は、吸込みパイプ４５の周面に一定の締め代をもって係合するようになっている。
【００２５】
ポンプＤとして、吐出ヘッドＥの操作に応じて、内容器Ｂ内の内容液を吸上げ、吐出ノズル４６から吐出することができるものであればよく、従来公知のポンプが使用されるので、くわしい説明は省略する。
【００２６】
オーバーキャップＦは、頂壁４７と側周壁４８を具え、キャップＡ３の係合筒１６に嵌着されている。
【００２７】
次に、本発明の使用態様と作用効果について説明する。
レフィル容器の組立にあたって、まず、内容液を充填した内容器Ｂを蓋体Ａ２に取付け、キャップＡ３で螺着して、内容器Ｂを蓋体Ａ２に取着する。
取付けは、内容器Ｂの口部基台２０を、蓋体Ａ２の下方から基板２２の突出片２６を支持筒９内周の縦溝１０内に係合摺動させるように上昇させ、基板２２を支持筒９の天面より上昇させ、次いで一方に廻して突出片２６を、支持筒９の位置決め段部１１に載置して位置決めする。
その上からキャップＡ３で螺着することによって蓋体Ａ２に取着される。
【００２８】
次に、蓋体Ａ２を容器本体Ａ１に嵌着し、ポンプＤを口部基台２０の挿入孔２５に挿入し、取付キャップＣに締め付けることによってポンプＤを取着したレフィル容器を組み立てる。
その際、図５に示すように、ポンプＤの吹込みパイプ４５は、その下端が嵌挿筒３４内に位置し、膨出環３５によって気密性が保たれる。
【００２９】
内容液の吐出にあたって、吐出ヘッドＥを上下動操作することによって吸込みパイプ４５から内容液をポンプＤ内に吸上げ、吐出ノズル４６より吐出する。
その際、液収納袋２１内が負圧になり、液収納袋２１は、その両側のフィルム３６ａ，ｂが吸引され、接合するように変形して、潰されていくことになるが、吸込みパイプ４５の周面は、吸込みパイプの嵌挿筒３４の膨出環３５によって気密性が保たれているので、外気が入ることなく効率よく吸上げられる。
【００３０】
また、液収納袋２１の上方部では、接着面部３０から垂下する角錐台３２側はテーパー面３１となっており、その高さはわずかしかないので、角錐台３２周辺の内容液は、吸込み口が位置する中央部に吸い寄せられ、液収納袋２１内の全ての内容液が吐出されることになる。
角錐台３２の高さは、好ましくは１０ｍｍ以下、実施例として５ｍｍ前後としているが、２〜３ｍｍであってもよい。
【００３１】
内容液を使い切ったときには、取付キャップＣを取外し、外装容器Ａの蓋体Ａ２を開いて、内容器Ｂを取出し、新しい内容器と入れ替え、ポンプＤの吸込みパイプ４５を嵌挿筒３４内に、シリンダーＤ１を内容器ＢのポンプＤの挿入孔２５に挿入するようにして、取付キャップＣを取付筒２３に取着することによって液吐出容器として再使用できる。
【００３２】
前記実施形態では、角錐台３２の下面に連接した吸込みパイプ４５の嵌挿筒３４を設けたが、図６に示すように、挿入孔２５の下部部分から接続筒５０を介して吸込みパイプの嵌挿筒５１を連接し、吸込みパイプの嵌挿筒５１の上部内周に吸込みパイプに係合する環状環５２を突設させるようにしてもよい。
【００３３】
次に、レフィル容器の第２実施形態について、図面を参照して説明する。
図７において、Ａａは外装容器、Ｂａは外装容器Ａａに着脱自在に収納された変形可能な内容器、Ｃａは内容器Ｂａ口部の挿入孔内に嵌挿されるポンプＤａを装着した取付キャップ、ＥａはポンプＤａのピストン部材上端に取着された吐出ヘッド、Ｆａはオーバーキャップである。
【００３４】
図８，９に示すように、外装容器Ａａは、上端を開放端とした横断面ほぼ楕円形の胴周壁６０と、複数の通気孔６１を穿孔した底壁６２とからなる容器本体Ａ１ａと蓋体Ａ２ａとからなっている。
胴周壁６０の上端には、縮径された嵌合筒６３が形成されており、嵌合筒６３の外周中間部には、膨出部６４が設けられている。
胴周壁６０の内周には、複数のリブ６５が設けられており、その上端は、支持段部６６となっている。
【００３５】
蓋体Ａ２ａは、胴周壁６０と横断面同形の頂壁６７と側周壁６８とを具えており、頂壁６７には、内容器Ｂａの口部基台を嵌挿する嵌挿孔６９が穿孔されている。
側周壁６８は、その上端部に形成され、外周に膨出環を設けた係合筒部７０と、段部７１下方の取付筒部７２とを具えており、取付筒部７２の内周には、嵌合筒６３の膨出環６４に係合する係合溝７３が設けられ、取付筒部７２の内側には、押え筒７４が設けられている。
【００３６】
図１０，１１に示すように、内容器Ｂａは、口部基台８０と、口部基台８０の下部に取着された内容液の液収納袋８１とからなっている。
口部基台８０は、基板８２と、基板８２の上面に立設されたポンプＤａの取付筒８３、基板８２の下面から垂設された液収納袋８１の支持体８４とからなっており、口部基台８０の中央には、取付筒８３、液収納袋８１の支持体８４を貫通するポンプＤａの挿入孔８５が穿孔されている。
基板８２は、外装容器Ａａの嵌合筒６３内周と同形の外形を有しており、支持段部６６に載置されるようになっている。
【００３７】
取付筒８３は、その外周には、ねじ８６と蓋体Ａ２ａの嵌挿孔６９に嵌挿される突条８７が設けられており、突条８７の下には、溝８８が設けられている。
挿入孔８５は、基板８２を境に、下部は縮径孔８９となっており、ポンプＣａのシリンダー外周に係合して内部を密封する膨出環９０が設けられている。
【００３８】
支持体８４は、その横断面外形はほぼ菱形状であり、その各表面は接着面部９１となっており、横方向に延びる凹溝９２が刻設されている。
支持体８４の下端部は、接着面部９１の下端から傾斜する各テーパー面９３によって、所定の高さを有する角錐台９４が形成されている。
【００３９】
前記角錐台９４について、第１実施形態と同様に、支持体８４の横断面外形を長軸端部を突出させた楕円形として、角錐台９４に変え接着面部９１の下端から延びる楕円錐台としてもよく、支持体８４の横断面外形を円形として、その下端部を円錐台としてもよい。
また、前記第１実施形態と同様に、角錐台９４の下面に、挿入孔の内径をせばめ、ポンプの吸込みパイプの周面と係合する膨出部を設けた吸込みパイプの嵌挿筒を連接してもよい。
【００４０】
液収納袋８１は、第１実施形態と同様に、二枚のフィルム９５ａ、９５ｂを重ね合わせ、その両側縁と下端周縁を接着した袋状にされたもので、それぞれのフィルム９５ａ，９５ｂの上端は、支持体８４の接着面部９１に接着され、同時に残りの上端部分は、接着面部９１の高さに対応する巾をもって相互に接着されている。
【００４１】
図７に示すように、取付キャップＣａは、側周壁１００と上壁１０１とを具えており、側周壁１００の内周には、口部基台８０の取付筒８３のねじ８６に螺合するねじ１０２が螺設され、上壁１０１には、ポンプＤａの取付部材が配設され、案内筒１０３が立設されている。
【００４２】
ポンプＤａは、シリンダーＤ１ａとピストン部材とを具えており、シリンダーＤ１ａの周面には、口部基台８０のポンプＤａの挿入孔８５との間を密封する膨出環１０４が設けられており、シリンダーＤ１ａの下端には、吸込みパイプ１０５が垂設されている。
【００４３】
ポンプＤａを装着した取付キャップＣａは、パッキンｐを介して内容器Ｂａの口部基台８０の取付筒８３に嵌着され、吸込みパイプ１０５下端の吸込み口は、内容器Ｂａの角錐台９４の下端よりやや垂下して位置している。
【００４４】
ポンプＤａ、吐出ヘッドＥａの構造は、前記第１実施形態と同様であるので、くわしい説明は省略する。
【００４５】
オーバーキャップＦａは、頂壁と側周壁を具え、蓋体Ａ２ａの係合筒部７０に嵌着され、段部７１に載置されている。
【００４６】
次に、本第２実施形態レフィル容器の使用形態と作用効果について説明する。レフィル容器の組立にあたっては、外装容器Ａａの容器本体Ａ１ａに内容液を充填した内容器Ｂａを挿入し、口部基台８０の基板８２を嵌合筒６３内周に嵌挿し、支持段部６６に載置する。
【００４７】
次に、外装容器Ａａに蓋体Ａ２ａを被蓋して、内容器Ｂａの口部基台８０のポンプＤａの挿入孔８５にポンプＤａを挿入しつつ取付キャップＣａを取付筒８３に取着し、レフィル容器を組立てる。
その際、ポンプＤａの吸込みパイプ１０５の吸込み口は、図１２に示すように、口部基台８０の支持体８４の下端よりやや垂下して内容液中に挿入される。
【００４８】
内容液の吐出にあたっては、前記実施形態と同様の外気の導入を防ぐとともに、液収納袋の全ての内容液を吐出することができる。
【００４９】
上記実施形態において、容器本体Ａ１ａの胴周壁６０が楕円形で内容器Ｂａの口部基台８０の基板８２を胴周壁６０と同様に楕円形としたが、胴周壁６０と口部基台８０がほぼ円形に近い場合には、容器本体Ａ１ａの嵌合筒６３内周に凸起を設け、基板８２に凹溝を設け、口部基台８０が定位置に位置決めされ、取着されるようにしてもよい。
【００５０】
次に、レフィル容器の第３実施形態について説明する。
本実施形態は、前第２実施形態において、内容器の構成を変更したもので、その他の構成は、前実施形態と同様であるのでくわしい説明を省略する。
【００５１】
図１３において、Ａｂは外装容器、Ｂｂは内容器、ＣｂはポンプＤｂの取付取付キャップ、Ｅｂは吐出ヘッド、Ｆｂはオーバーキャップである。
【００５２】
図１３，１４に示すように、内容器Ｂｂは、口部基台１１０と液収納袋１１１とからなっており、口部基台１１０は、基板１１２と基板１１２に立設されたポンプＤｂの取付筒１１３、基板１１２の下面より垂設された液収納袋１１１の支持体１１４とからなっている。
口部基台１１０の中央には、取付筒１１３を貫通し、支持体１１４の下端に至るポンプＤｂの挿入孔１１５が穿孔されている。
取付筒１１３は、外周にねじ１１６と突出環１１７が設けられ、突出環１１７の下方には、溝１１８が刻設されている。
【００５３】
図１５に示すように、支持体１１４は、横断面外形を菱形状とした液収納袋１１１の接着面部１１９と、該接着面部１１９より下方に延びる液誘導部１２０とからなっており、接着面部１１９の表面には、横方向に延びる凹溝１２１が設けられている。
液誘導部１２０は、その下端に形成された環状の誘導面１２２と、接着面部１１９の菱形の長径側の頂点から円弧状に延びる稜線１２３ａ，１２３ｂを境として、誘導面１２２円周と接着面部１１９の下端縁とを結ぶ二つの湾曲面１２４ａ，１２４ｂとからなっている。
【００５４】
稜線１２３ａ，ｂには、接着面部１１９の下端から誘導面１２２の内周縁に至る液通路１２５ａ，ｂが刻設されており、湾曲面１２４ａ，ｂには、横方向に延び、液通路１２５ａ，ｂに連通する液通路１２６が刻設されている。
【００５５】
誘導面１２２の内周縁に沿って、挿入孔１１５に通じるポンプＤｂの吸込みパイプ１２７の嵌挿筒１２８が立設されており、その上方には、吸込みパイプ１２７周面を密封する膨出環１２９が設けられている。
図１４に示すように、液収納袋１１１は、前記各実施形態と同様に、二枚のフィルムを重ね合わせ、その両側縁と下端周縁と接着した袋状にされたもので、それぞれのフィルムの上端は、支持体１１４の接着面部１１９に接着され、同時に残り上端部分は、接着面部に対応する巾をもって相互に接着されている。
【００５６】
次に、本実施形態のレフィル容器の作用効果について説明する。
内容液の吐出にあたって、前記各実施形態と同様に、吐出ヘッドＥｂを上下動操作によって内容液が吐出され、液収納袋１１１は、変形して潰されていく。
液収納袋１１１の上方部では、液誘導部１２０の液通路１２５、稜線の液通路１２６を通じて、嵌挿筒１２８の周辺に引き寄せられ、上方部の内容液は残ることなく吸込みパイプ１２７を通じて吸引され、吐出される。
【００５７】
前記各実施形態においては、吐出ヘッドに替え、噴霧ヘッドを取り付けて噴霧容器として用いてもよく、また外装容器をスクイズ可能とすることによって開孔を注出孔として内容液を注出することもできる。
【００５８】
また、内容器だけを飲料用のパウチとして用い、口部基台のポンプ取付筒を注出孔を設けた注出口部として、該注出口部から内容液を直接吸飲するようにしてもよい。
パウチによって、液収納袋を上方部の液を含め全ての内容液も吸引することができる。
【００５９】
前記各実施形態では、液収納袋を二枚のフィルムの下端、左右端を接着し、上端を内容器の口部基台に接着させ、残余を相互に接着するようにして形成しているが、下端縁を折り曲げたフィルムの左右端縁を接着したもの、或いは下端縁を接着した袋状フィルム等を用いて、上端縁を口部基台に接着させるとともに残余部分を相互に接着するようにしてもよく、また、液収納袋を支持体の全周にわたって張着するようにしてもよい。
他の実施例としては、容易に変形できる容器であれば、内容器として薄肉のブロー容器等も使用できる。
さらに、支持体の形状をおおきくし、口部基台の基板の形状に近づけてもよい。
【００６０】
前記各実施形態において、外装容器の横断面外形を楕円形とし、容器本体の底壁に複数の通気孔を穿孔したが、外装容器の形状は、円形、角形など任意の形状にすることができ、通気孔は１ヶ所でもよく、また通気孔を蓋体等、任意の場所に設けてもよい。
また、容器本体と蓋体との間等に通気性が確保されれば容器本体の底壁に通気孔を設けなくてもよい。
【００６１】
【発明の効果】
本発明は、上記のように構成されているから、次の効果を奏する。
吸込みパイプの周辺を密封する膨出環を具えた嵌挿筒を設けたから、内容器とポンプの間から大気が吸引されることがないので、吸引効率がよくなった。
【００６２】
口部基台の支持体の下端をほぼ錐台状とし、接着面部との間を短くすること、或いは支持体の下部表面に液通路を刻設した液誘導部を設けることにより、液収納袋の上方部の内容液も全て吸引、吐出させることができた。
【図面の簡単な説明】
【図１】本発明の第１実施形態レフィル容器の一部断面立面図である。
【図２】外装容器の説明図で、（ａ）は断面立面図、（ｂ）は蓋体の上面図である。
【図３】内容器の一部断面立面図である。
【図４】口部基台の説明図で、（ａ）は上面図、（ｂ）は一部断面立面図、（ｃ）は底面図である。
【図５】ポンプと口部基台の拡大説明図である。
【図６】口部基台の別実施例の説明図である。
【図７】第２実施形態レフィル容器の一部断面立面図である。
【図８】外装容器の断面立面図である。
【図９】外装容器の説明図で、（ａ）は蓋体の上面図、（ｂ）は容器本体の上面図である。
【図１０】液収納袋の一部断面立面図である。
【図１１】口部基台の説明図で、（ａ）は上面図、（ｂ）は一部断面立面図、（ｃ）は底面図である。
【図１２】ポンプと口部基台の拡大説明図である。
【図１３】第３実施形態レフィル容器の一部断面立面図である。
【図１４】内容器の断面立面図である。
【図１５】内容器の口部基台とポンプの説明図で、（ａ）は断面立面図、（ｂ）は底面図である。
【符号の説明】
Ａ、Ａａ、Ａｂ　外装容器
Ａ１、Ａ１ａ　　容器本体
Ａ２、Ａ２ａ　　蓋体
Ａ３　　　　　　キャップ
Ｂ、Ｂａ、Ｂｂ　内容器
Ｃ、Ｃａ、Ｃｂ　取付キャップ
Ｄ、Ｄａ、Ｄｂ　ポンプ
Ｄ１、Ｄ１ａ　　シリンダー
Ｅ、Ｅａ、Ｅｂ　吐出ヘッド
Ｆ、Ｆａ、Ｆｂ　オーバーキャップ
１、６０　　　　胴周壁
２、６１　　　　通気孔
３、６２　　　　底壁
４、６３　　　　嵌合筒
５、６４　　　　膨出部
６、６７　　　　頂壁
７、６８　　　　側周壁
８、６９　　　　嵌挿孔
９　　　　　　　支持筒
１０　　　　　　縦溝
１１　　　　　　位置決め段部
１２　　　　　　ねじ
１３　　　　　　係合部
１４　　　　　　側周壁
１５　　　　　　上壁
１６　　　　　　係合筒
２０、８０、１１０　口部基台
２１、８１、１１１　液収納袋
２２　　　　　　　　基板
２３、８３、１１３　取付筒
２４、８４、１１４　支持体
２５、８５、１１５　挿入孔
２６　　　　　　　　凸起
２７、８６、１１６　ねじ
２８　　　　　　　　拡径部
２９、９２　　　　　凹溝
３０、９１、１１９　接着面部
３１、９３　　　　　テーパー面
３２、９４　　　　　角錐台
３３　　　　　　　　環状板
３４、１２８　　　　嵌挿筒
３５、９０、１１７　膨出環
３６ａ，ｂ、９５ａ，ｂ　フィルム
３８ａ，ｂ　　　　　上端部分
４０、１００　　　　側周壁
４１、１０１　　　　上壁
４２、１０２　　　　ねじ
４３、１０３　　　　案内筒
４４、１０４、１２９　膨出環
４５、１０５、１２７　吸込みパイプ
４６　　　　　　　　吐出ノズル
５０　　　　　　　　接続筒
５１　　　　　　　　嵌挿筒
５２　　　　　　　　環状環
６５　　　　　　　　リブ
６６　　　　　　　　支持段部
７０　　　　　　　　係合筒部
７１　　　　　　　　段部
８２、１１２　　　　基板
８７　　　　　　　　突条
８８、１１８　　　　溝
８９　　　　　　　　縮径孔
１２０　　　　　　　液誘導部
１２１　　　　　　　凹溝
１２２　　　　　　　誘導面
１２３ａ，ｂ　　　　稜線
１２４ａ，ｂ　　　　湾曲面
１２５ａ，ｂ、１２６　液通路
【図１】
2004051197.tif 000003
【図２】
2004051197.tif 000004
【図３】
2004051197.tif 000005
【図４】
2004051197.tif 000006
【図５】
2004051197.tif 000007
【図６】
2004051197.tif 000008
【図７】
2004051197.tif 000009
【図８】
2004051197.tif 000010
【図９】
2004051197.tif 000011
【図１０】
2004051197.tif 000012
【図１１】
2004051197.tif 000013
【図１２】
2004051197.tif 000014
【図１３】
2004051197.tif 000015
【図１４】
2004051197.tif 000016
【図１５】
2004051197.tif 000017